(57)【要約】【課題】オフ−アクシス型ＬＣＯＳ表示装置に用いられる傾斜勾配ダイクロイックフィルムを提供する。【解決手段】この傾斜勾配ダイクロイックフィルムは、勾配方向を含むフィルム特性を有するダイクロイックフィルムを備える。上記勾配方向は、ダイクロイックフィルム上における入射光の光点が均一に分配された光特性を有するように、入射光の入射角に依存している。【選択図】図４ 
2005215636.tif 000002
【特許請求の範囲】
【請求項１】
勾配方向を含むフィルム特性を有するダイクロイックフィルムを備え、オフ−アクシス型ＬＣＯＳ表示装置に用いられる傾斜勾配ダイクロイックフィルムであって、
上記勾配方向は、ダイクロイックフィルム上における入射光の光点が、均一に分配された光特性を有するように、入射光の入射角に依存していることを特徴とする傾斜勾配ダイクロイックフィルム。
【請求項２】
請求項１記載の傾斜勾配ダイクロイックフィルムにおいて、
上記フィルム特性は、ダイクロイックフィルムの厚さを含むことを特徴とする。
【請求項３】
請求項１記載の傾斜勾配ダイクロイックフィルムにおいて、
上記フィルム特性は、誘電特性を含むことを特徴とする。
【請求項４】
請求項１記載の傾斜勾配ダイクロイックフィルムにおいて、
上記ダイクロイックフィルムの材質は、誘電性材料からなることを特徴とする。
【請求項５】
請求項１記載の傾斜勾配ダイクロイックフィルムにおいて、
上記ダイクロイックフィルムの材質は、金属からなることを特徴とする。
【請求項６】
請求項１記載の傾斜勾配ダイクロイックフィルムにおいて、
上記光点の光特性は、エネルギー分布を含むことを特徴とする。
【請求項７】
請求項１記載の傾斜勾配ダイクロイックフィルムにおいて、
上記光点の光特性は、光の反射指数を含むことを特徴とする。
【請求項８】
請求項１記載の傾斜勾配ダイクロイックフィルムにおいて、
上記光点の光特性は、色光の光分離率を含むことを特徴とする。
【請求項９】
請求項１記載の傾斜勾配ダイクロイックフィルムにおいて、
上記ダイクロイックフィルムは、異なる入射角を有する入射光に対して、光特性の均一な分配を提供することを特徴とする。
【請求項１０】
白光を放射する光源と、上記白光を３原色光に分離する色分離鏡と、上記３原色光を偏光する偏光器と、入力映像信号の映像成分に従って上記３原色光を部分的に偏光するＬＣＯＳパネルと、検光子と、色再結合鏡とを有し、上記検光子と上記色再結合鏡とで上記部分的に偏光された３原色光を結合して出力映像信号を得るＬＣＯＳ表示装置において、
上記色分離鏡と上記色再結合鏡のうちの少なくとも一方に傾斜勾配ダイクロイックフィルムが形成され、上記傾斜勾配ダイクロイックフィルムは、勾配方向のあるフィルム特性を備えたダイクロイックフィルムを有し、上記勾配方向は、ダイクロイックフィルム上における入力光の光点が均一に分配された光特性を有するように、入射光の入射角に依存していることを特徴とするＬＣＯＳ表示装置。
【請求項１１】
請求項１０記載のＬＣＯＳ表示装置において、
上記フィルム特性は、ダイクロイックフィルムの厚さを含むことを特徴とする。
【請求項１２】
請求項１０記載のＬＣＯＳ表示装置において、
上記フィルム特性は、誘電特性を含むことを特徴とする。
【請求項１３】
請求項１０記載のＬＣＯＳ表示装置において、
上記ダイクロイックフィルムの材質は、誘電性材料からなることを特徴とする。
【請求項１４】
請求項１０記載のＬＣＯＳ表示装置において、
上記ダイクロイックフィルムの材質は、金属からなることを特徴とする。
【請求項１５】
請求項１０記載のＬＣＯＳ表示装置において、
上記光点の光特性は、エネルギー分布を含むことを特徴とする。
【請求項１６】
請求項１０記載のＬＣＯＳ表示装置において、
上記光点の光特性は、光の反射指数を含むことを特徴とする。
【請求項１７】
請求項１０記載のＬＣＯＳ表示装置において、
上記光点の光特性は、色光の光分離率を含むことを特徴とする。
【請求項１８】
請求項１０記載のＬＣＯＳ表示装置において、
上記ダイクロイックフィルムは、異なる入射角を有する入射光に対して、光特性の均一な分配を提供することを特徴とする。
【請求項１９】
複数の入射角を備えた入射光を傾斜勾配ダイクロイックフィルムに対して与え、各入射角で入射光から分かれたダイクロイック光線の光特性を調べて、上記光特性が均一か否かを測定することを特徴とする傾斜勾配ダイクロイックフィルムの検査方法。
【請求項２０】
請求項１９記載の検査方法において、
上記ダイクロイック光線の光特性は、エネルギー分布を含むことを特徴とする。
【請求項２１】
請求項１９記載の検査方法において、
上記ダイクロイック光線の光特性は、光の反射指数を含むことを特徴とする。
【請求項２２】
請求項１９記載の検査方法において、
上記ダイクロイック光線の光特性は、色光の光分離率を含むことを特徴とする。
【発明の詳細な説明】
【技術分野】
【０００１】
この発明はディスプレイに関し、より詳細には、ＬＣＯＳディスプレイ、およびＬＣＯＳディスプレイに用いられるダイクロイックフィルム、その検査方法に関し、オフ−アクシス型投影システムにおいて均一性や輝度、コントラストを向上させるのに適したものである。
【背景技術】
【０００２】
液晶ディスプレイ（ＬＣＤ）は、コンパクトサイズ、軽量、低動作電圧、低電力消費、放熱がないという利点を有しているので、従来のＣＲＴディスプレイに次第に置き換わって、表示装置の主流となった。しかしながら、ＬＣＤの製造技術上の限界により、ほとんどのＬＣＤ製品の大きさは、３０インチ以下に限定されている。プラズマディスプレイパネルは３０−６０インチの大きさのディスプレイを提供できるが、高価なため、ほとんどの消費者はそのような製品を買う余裕がない。
【０００３】
それゆえ、手ごろな価格の大きいディスプレイを提供するために、多くの製造業者は、反射型投影表示装置や背面投影型表示装置のような投影技術を導入している。反射型投影表示装置としては、液晶プロジェクター（ＬＣＰ）や、ＤＬＰプロジェクター、ＬＣＯＳ（Liquid crystal onsilicon）投影装置がある。背面投影型表示装置にもＬＣＯＳ技術が用いられている。現在、市場においては、ＤＬＰプロジェクターとＬＣＯＳ投影装置が最も採り入れられた技術となっている。ＬＣＯＳ方式は、低コストで高開口率（開口率９０％も可能。）、高解像度（画素距離が１２μｍ以下も可能。）という利点をもたらすため、より多くの製造業者がこの技術を開発し続けている。
【０００４】
ＬＣＯＳ投影技術は、コストの大幅な削減が可能であり、また解像度を大きく増やすことができるため、反射型投影表示装置や背面投影型表示装置において、重要な技術となっている。
【０００５】
図１は、従来のＬＣＯＳ投影装置を説明する概略図である。以下に、図１を参照しながらＬＣＯＳ投影装置の動作原理について説明する。光源１０２が白色光１０４を発光すると、白色光１０４がフィルター１０６及び色分離鏡１０８を通過し、赤色光１１２、緑色光１２２、青色光１４２を得る。赤色光１１２は、ダイクロイックミラー１１０、反射ミラー１１４を経由して、偏光ビームスプリッタ（以下ＰＢＳと称す。）１１６に到達する。
【０００６】
図２（ａ）、（ｂ）は、従来のＰＢＳ１１６の動作を説明する概略図である。例えば、赤色光１１２がＰＢＳ１１６を通過すると、ＰＢＳ１１６は赤色光１１２を偏光し、赤色光のＳ偏光成分のみをＬＣＯＳパネル１１８へ反射させる。映像信号がＬＣＯＳパネルの暗パネル上に映される時は、図２（ａ）に示すように、上記Ｓ偏光は反射され、Ｘ−キューブ１５２（図１参照）に入っていくことはない。映像信号がＬＣＯＳパネルの明パネル上に映される時は、図２（ｂ）に示すように、上記Ｓ偏光はＬＣＯＳパネルによってｐ偏光１２０へと変換され、その結果ｐ偏光１２０がＸキューブ１５２に入射する。
【０００７】
このように、赤色光１１２、緑色光１２２、青色光１４２は、それぞれＰＢＳ１１６，１３０，１４４を通って、ＬＣＯＳパネル１１８，１３２，１４６へと反射される。ＬＣＯＳパネルによって部分的に偏光された赤色光１２０、緑色光１３４、青色光１４８は、Ｘ−キューブ１５２によって結合されて、映像信号を発生させる。そして、映像信号はズームレンズ１５４を介してディスプレイ（図示せず）に投影される。
【０００８】
従って、色分離装置（例えば、ダイクロイックミラー）や再結合装置（例えば、Ｘ−キューブ）は、従来のＬＣＯＳ投影システムにおいて最も重要な装置となっている。もし、赤／緑／青、各色間の色分離率や色再結合率が均一でなければ、再結合された映像信号の均一性や輝度に重大な影響が及ぼされることとなる。さらに、再結合された映像信号の焦点が合っていないと、最終的に映像がぼやけたり、解像度に悪影響が及ぶこととなる。
【０００９】
従来のＬＣＯＳ投影システムにおいて、色分離装置は、Ｘ−キューブ、ダイクロイックミラー、或いはダイクロイックフィルターである。例えば図１のＸ−キューブ１１０も、光の伝搬方向が反対の時は、色分離鏡となりうる。図１のダイクロイックミラー１１０は、ダイクロイックミラー、或いはダイクロイックフィルターを使用している。さらに、上記した従来のＬＣＯＳ投影システムでは、光路と色分離装置の反射面の法線方向とが平行となっており、それらはいわゆる“オン−アクシス”設計（"On-axis"design）となっている。例えば赤色光１１２の光路は、ＰＢＳ１１６の反射面１６２やＸ−キューブ１５２の反射面１６４と直交している。
【００１０】
図３（ａ）は、従来のダイクロイックミラーのオン−アクシス設計の上面図である。図３（ｂ）は、図３（ａ）をＡ方向から見た時のダイクロイックミラーの断面図である。図３（ｃ）は、図３（ａ）をＢ−Ｂ線に沿って見た時の光点の断面図である。図３（ｂ）を参照すると、光３０２は、ダイクロイックミラー３０４の反射面３０６に垂直に放射される。図３（ｃ）を参照すると、反射面３０６上の光３０２の光点３１２は楕円形となっている。一般に、このオン−アクシス設計は、良好な色均一性を持つ光点３１２を提供することができる。
【００１１】
より良好な色均一性が要求される場合は、誘電体フィルム、あるいは金属フィルムをダイクロイックミラーやダイクロイックフィルターにコーティングして、干渉効果によって光線伝搬の特性を変化させることができる。例えば、特別な光フィルムをダイクロイックミラーやダイクロイックフィルターにコーティングして、水平勾配コーティング・ダイクロイックミラー（a horizontalgradient coating dichroic mirror）や水平勾配コーティング・ダイクロイックフィルター（a horizontal gradient coatingdichroic filter）を作ることができる。その結果、より良い再結合映像信号を発生させるために、より高い透過率を備えたより均一な原色光を入射光から得ることができる。
【００１２】
図４は、オフ−アクシス型（off-axis）ＬＣＯＳ投影装置を説明する概略図である。光源４０２が白色光４０２を放射し、ダイクロイックミラー４０４が赤色光４０６と、緑色光４０８と、青色光４１０とに分離する。それらの原色光は、偏光器４１２によって偏光され、ＬＣＯＳパネル４１４に入射する。次にＬＣＯＳパネル４１４は、赤／緑／青の各色光を部分的に偏光する。そして、検光子４１６とダイクロイックミラー４１８とによって、部分的に偏光された赤／緑／青の各色光が再結合され、映像信号を得る。そして、映像信号はディスプレイに投影される。
【発明の開示】
【発明が解決しようとする課題】
【００１３】
オフ−アクシス型ＬＣＯＳ投影装置の問題点は、原色の分配が均一とならないことである。たとえ上記水平勾配コーディング・ダイクロイックミラー或いは水平勾配コーディング・ダイクロイックフィルターを、オフ−アクシス型ＬＣＯＳ投影装置に用いたとしても、依然として原色の分配は均一とならない。それゆえ、原色の分配をいかにして改善し、コントラストをいかにして向上させるかが、非常に重大な問題となっている。
【００１４】
本発明の目的は、原色光線の分配均一性、輝度、コントラストを効果的に改善できる傾斜勾配ダイクロイックフィルム（a bevel gradientdichroic film）を提供することにある。
【００１５】
本発明の別の目的は、原色光線の分配均一性、輝度、コントラストを効果的に改善できる傾斜勾配ダイクロイックフィルムを備えた、ＬＣＯＳ投影装置を提供することにある。
【００１６】
さらに本発明の別の目的は、原色光線の分配の均一性、輝度、コントラストを効果的に改善できる傾斜勾配ダイクロイックフィルムを検査する方法を提供することにある。
【課題を解決するための手段】
【００１７】
本発明は、オフ−アクシス型ＬＣＯＳ表示装置に用いられる傾斜勾配ダイクロイックフィルムを提供する。その傾斜勾配ダイクロイックフィルムは、ダイクロイックフィルムを備えており、そのダイクロイックフィルムは勾配方向を含んだフィルム特性を有している。そして、その勾配方向は、ダイクロイックフィルム上における入射光の光点が、均一に分配された光特性を持つように、入射光の入射角に依存している。
【００１８】
換言すれば、本発明の傾斜勾配ダイクロイックフィルムは、ダイクロイックフィルムのフィルム特性が勾配方向を有しており（すなわち、フィルム特性がある勾配方向に従って変化する。）、その勾配方向は、ダイクロイックフィルム上の入射光の光点内において入射光の光特性がムラなく均一に分配されるように、入射光の入射角に依存して決定される。
【００１９】
本発明の好ましい実施形態においては、上記フィルム特性は、誘電特性、あるいはダイクロイックフィルムの厚さを含んでいる。換言すれば、上記ダイクロイックフィルムは、誘電特性、あるいはダイクロイックフィルムの厚さが、上記勾配方向に従って変化する。
【００２０】
また、本発明の好ましい実施形態においては、上記傾斜勾配ダイクロイックフィルムは、誘電性材料、あるいは金属を含んでいる。
【００２１】
また、本発明の好ましい実施形態においては、上記光点の光特性は、エネルギー分布、あるいは／または、光の反射指数、異なる色光の光分離率（a light separationratio for different color lights）を含んでいる。すなわち、上記エネルギー分布、あるいは／または、反射指数、光分離率が、ダイクロイックフィルム上の入射光の光点内において均一に分配されるように、上記勾配方向が入射角に依存して決定される。
【００２２】
また、本発明は、白光を放射する光源と、上記白光を３原色光に分離する色分離鏡と、上記３原色光を偏光する偏光器と、入力映像信号の映像成分に従って上記３原色光を部分的に偏光するＬＣＯＳパネルと、検光子と、色再結合鏡とを有するＬＣＯＳ表示装置を提供する。上記検光子と上記色再結合鏡とは、上記部分的に偏光された３原色光を再結合して、出力映像信号を得る。ここにおいて、上記色分離鏡と上記色再結合鏡のうち少なくとも一方に傾斜勾配ダイクロイックフィルムが形成されている。上記傾斜勾配ダイクロイックフィルムは、勾配方向を含むフィルム特性を備えたダイクロイックフィルムを有し、上記勾配方向は、ダイクロイックフィルム上における入力光の光点が均一に分配された光特性を有するように、入射光の入射角に依存している。
【００２３】
また、本発明は、傾斜勾配ダイクロイックフィルムの検査方法を提供する。その検査方法は、複数の入射角を備えた入射光を傾斜勾配ダイクロイックフィルムに対して与えることと、各入射角の入射光から分かれたダイクロイック光線の光特性を調べて、上記光特性が均一か否かを判断していくことを含む。
【００２４】
本発明の好ましい実施形態においては、上記ダイクロイック光線の光特性は、エネルギー分布、反射指数、異なる色光の光分離率を含んでいる。
【発明の効果】
【００２５】
上述したように、本発明の傾斜勾配ダイクロイックフィルムやＬＣＯＳ表示装置においては、色分離鏡や色再結合鏡上のダイクロイックフィルムの厚さ勾配や特性が、入射光の角度に依存している。従って、コーティングフィルムの厚さ勾配の方向や特性の方向を調節し、そして、コーディングフィルムの厚さの分配や特性の分配を調節することによって、原色光線の分配均一性や、輝度、コントラストを効果的に改善することができる。
【発明を実施するための最良の形態】
【００２６】
以下に添付の図面を用いて、本発明の本質を説明する。
【００２７】
図５（ａ）は、オフ−アクシス型設計に用いたダイクロイックミラーの上面図である。図５（ｂ）はそのダイクロイックミラーを、図５（ａ）中のＣ方向から見た時の図である。図５（ｃ）はそのダイクロイックミラーを、図５（ａ）中のＤ−Ｄ線に沿って切り取って見た時の光点を説明する断面図である。図５（ｂ）を参照すると、光５０２は、光線分配ミラー５０４の反射面５０６に対して垂直に入射せず、反射面５０６の法線に対してある角度でもって、反射面５０６に入射している。図５（ｃ）を参照すると、反射面５０６上における光５０２の光点５１２は、傾いた楕円形状となっている。このオフ−アクシス型設計では、良好な色均一性を備えた光点５１２を提供できない。
【００２８】
そこで良好な色均一性を得るために、誘電体フィルム、あるいは金属フィルムをダイクロイックミラー５０４にコーティングして、干渉効果によって光線伝搬の特性を変化させることができる。しかしながら、そのコーティングされたダイクロイックミラー５０４は、オフ−アクシス型設計においては、水平勾配コーティング・ダイクロイックミラーではなく、傾斜勾配コーティング・ダイクロイックミラー（a bevel gradientcoating dichroic mirror）でなけらばならない。
【００２９】
図６は、オフ−アクシス設計に用いた水平勾配コーティング・ダイクロイックミラーの断面図である。図６を参照して説明すると、水平勾配コーティング・ダイクロイックミラーでは、ダイクロイックミラーの反射面６０２上のコーティングフィルムは、矢印Ｅの方向に、厚さ勾配（thickness gradient）が変化している。水平勾配コーティング・ダイクロイックミラーでは、矢印Ｅは水平方向となる。ライン６０４は、同じ入射角を持った入射光を示している。従って、入射光の方向は、矢印Ｅの方向（厚さ勾配の変化方向）に依存していない。換言すれば、矢印Ｅの方向（厚さ勾配の変化方向）は、入射光の入射角に依存していない。入射光はオフ−アクシスのため、光点の原色配分はオフ−アクシス設計においては均一とならない。
【００３０】
図７は、本発明の実施形態にかかる、オフ−アクシス設計用の傾斜勾配コーティング・ダイクロイックミラーの断面図である。図７を参照して説明すると、このダイクロイックミラーの反射面７０２上のコーティングフィルムは、矢印Ｆの方向に、厚さ勾配を有している。或いは、矢印Ｆの方向に、コーティングフィルムの特性が変化している。矢印Ｆは必ずしも水平方向ではなく、入射光の方向（例えば同じ入射角を持った入射光を示しているライン７０４の方向）に依存して決められている。コーティングフィルムの厚さ勾配の方向あるいは特性の方向を調節し、さらに、その矢印Ｆの方向におけるコーティングフィルムの厚さの分配あるいは特性の分配を調節することによって、光点内の原色配分（光点内の光特性）を均一にすることができる。
【００３１】
本発明の好ましい実施形態においては、矢印Ｆはカーブであっても良い。換言すれば、厚さ勾配、或いは特性の変化は、曲線的に変化するものでも良い。
【００３２】
本発明の好ましい実施形態においては、本発明の傾斜勾配コーティング・ダイクロイックフィルムは、誘電材料あるいは金属を含んでいる。
【００３３】
本発明の好ましい実施形態においては、本発明の傾斜勾配コーティング・ダイクロイックフィルムが備えている勾配変化フィルム特性には、誘電特性あるいはフィルムの厚さが含まれている。換言すれば、本発明の好ましい傾斜勾配コーティング・ダイクロイックフィルムは、誘電特性あるいはフィルムの厚さが、ある勾配方向に沿って変化している。
【００３４】
さらに、本発明の好ましい実施形態においては、上記光点の光特性は、エネルギー分布、あるいは／および反射指数、異なる色光の光分離率を含んでいる。換言すれば、ダイクロイックフィルム上の光点内において、エネルギー分布、あるいは／および、反射指数、光分離率が均一になるように、上記矢印Ｆの方向が入射光の入射角に依存して決定されている。
【００３５】
本発明は、また、ＬＣＯＳ表示装置も提供する。このＬＣＯＳ表示装置は、図４に示したオフ−アクシス型ＬＣＯＳ表示装置を含むが、図４のオフ−アクシス型ＬＣＯＳ表示装置に限定されるものではない。
【００３６】
図４を参照すると、このＬＣＯＳ表示装置は、白光を出す光源４０２と、上記白光を３原色光４０６，４０８，４１０に分離する色分離鏡４０４と、上記３原色光を偏光する偏光器４１２と、入力映像信号の映像成分に従って上記３原色光を部分的に偏光するＬＣＯＳパネル４１４と、検光子４１６と、色再結合鏡４１８とを含んでいる。検光子４１６と色再結合鏡４１８とで、上記部分的に偏光された３原色光を再結合して出力映像信号を得る。そして、上記出力映像信号が図示しないディスプレイ上に投影される。本発明の傾斜勾配ダイクロイックフィルムは、色分離鏡４０４と色再結合鏡４１８のうち少なくとも一方に形成することができる。
【００３７】
本発明は、傾斜勾配ダイクロイックフィルムを検査する方法も提供する。その方法は、複数の入射角を持つ入射光を傾斜勾配ダイクロイックフィルムに与えるステップと、各入射角で入射光から分かれたダイクロイック光線の光特性を調べて、上記光特性が均一か否かを測定するステップとを含んでいる。本発明の実施形態においては、上記方法は、ＩＱＣ（incoming qualitycontrol）手法（原材料の品質管理に用いられる手法）とすることができる。換言すれば、本方法を用いて、傾斜勾配ダイクロイックフィルムの品質を管理できる。
【００３８】
本発明の好ましい実施形態においては、上記ダイクロイック光線の光特性は、エネルギー分布や、反射指数、異なる色光の光分離率を含んでいる。
【００３９】
以上のように、本発明の傾斜勾配ダイクロイックフィルムやＬＣＯＳ表示装置においては、色分離鏡や色再結合鏡上のダイクロイックフィルムの厚さ勾配や特性の変化は、入射光の入射角に依存している。従って、コーティングフィルムの厚さ勾配の方向や特性の変化の方向を調整し、さらに、コーティングフィルムの厚さ分配や特性分配を調節することによって、原色光線の分配均一性や、輝度、コントラストを効果的に改善することができる。
【００４０】
なお、本発明の範囲や精神を外れることなく、本発明の構造に様々な変形や修整を加えられることは当業者にとって明らかである。よって上記観点に鑑みて、本発明の特許請求の範囲やそれらと同等な範囲に入るものであるならば、本発明の修整例や変更例は本発明によってカバーされるものである。
【図面の簡単な説明】
【００４１】
【図１】従来のＬＣＯＳ投影装置を説明する概略図である。
【図２】（ａ）従来のＰＢＳの動作を説明する概略図である。（ｂ）従来のＰＢＳの動作を説明する概略図である。
【図３】（ａ）従来のダイクロイックミラーのオン−アクシス設計の上面図である。（ｂ）同上をＡ方向から見た断面図である。（ｃ）同上をＢ−Ｂ線に沿って見た時の光点を説明する断面図である。
【図４】オフ−アクシス型ＬＣＯＳ投影装置を説明する概略図である。
【図５】（ａ）ダイクロイックミラーのオフ−アクシス設計の上面図である。（ｂ）同上をＣ方向から見た断面図である。（ｃ）同上をＤ−Ｄ線に沿って見た時の光点を説明する断面図である。
【図６】オフ−アクシス設計用の水平勾配コーティング・ダイクロイックミラーの断面図である。
【図７】本発明の実施形態に係るオフ−アクシス設計用の傾斜勾配コーティング・ダイクロイックミラーの断面図である。
【符号の説明】
【００４２】
４０２  光源
４０４  色分離鏡
４０６，４０８，４１０  ３原色光
４１２  偏光器
４１４  ＬＣＯＳパネル
４１６  検光子
４１８  色再結合鏡
７０２  反射面
７０４  入射光の入射方向
Ｆ  厚さ勾配、特性の変化方向
【図１】
2005215636.tif 000003
【図２】
2005215636.tif 000004
【図３】
2005215636.tif 000005
【図４】
2005215636.tif 000006
【図５】
2005215636.tif 000007
【図６】
2005215636.tif 000008
【図７】
2005215636.tif 000009